【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
ズームレンズ及びフォーカスレンズを含む撮像光学系と、
前記撮像光学系を介して形成される光学像から映像信号を出力する信号処理手段と、
前記フォーカスレンズを駆動させるフォーカスレンズ駆動手段と、
前記ズームレンズを駆動させるズームレンズ駆動手段と、
前記ズームレンズの位置から焦点距離値を検出する焦点距離検出手段と、
主被写体の距離を測定する複数の距離測定手段と、
複数の前記距離測定手段により測定された各距離値と、前記焦点距離検出手段により検出された前記焦点距離値とに基づいて、前記主被写体の距離情報を算出する距離情報算出手段と、
前記信号処理手段から出力された前記映像信号から焦点信号を検出する焦点信号検出手段と、
前記距離情報算出手段により算出された前記距離情報と、前記焦点信号検出手段により検出された前記焦点信号とに基づいて、前記フォーカスレンズを制御するフォーカス制御手段と
を備えることを特徴とする撮像装置。
【請求項２】
ズームレンズ及びフォーカスレンズを含む撮像光学系と、
前記撮像光学系を介して形成される光学像から映像信号を出力する信号処理手段と、
前記フォーカスレンズを駆動させるフォーカスレンズ駆動手段と、
前記ズームレンズを駆動させるズームレンズ駆動手段と、
前記ズームレンズの位置から焦点距離値を検出する焦点距離検出手段と、
主被写体の距離値を測定する複数の距離測定手段と、
前記焦点距離検出手段により検出された前記焦点距離値に基づいて、複数の前記距離測定手段のうちの少なくとも１つを選択する選択手段と、
選択された前記距離測定手段により測定された前記距離値に基づいて、前記主被写体の距離情報を算出する距離情報算出手段と、
前記信号処理手段から出力された前記映像信号から焦点信号を検出する焦点信号検出手段と、
前記距離情報算出手段により算出された前記距離情報と、前記焦点信号検出手段により検出された前記焦点信号とに基づいて、前記フォーカスレンズを制御するフォーカス制御手段と
を備えることを特徴とする撮像装置。
【請求項３】
前記各距離測定手段は、それぞれ焦点距離に応じて異なる有効計測距離が規定されていることを特徴とする請求項１又は２に記載の撮像装置。
【請求項４】
前記各距離測定手段は、それぞれ焦点距離に応じて視野角を変えて配置されてなることを特徴とする請求項１〜３のいずれか１項に記載の撮像装置。
【請求項５】
前記距離情報算出手段は、前記距離値に対して前記焦点距離値による重み付けを行って前記主被写体の前記距離情報を算出することを特徴とする請求項４に記載の撮像装置。
【請求項６】
前記フォーカス制御手段は、前記距離情報に基づいて前記フォーカスレンズを駆動した後、前記焦点信号検出手段により検出された前記焦点信号に基づいて合焦動作を行うことを特徴とする請求項５に記載の撮像装置。
【請求項７】
前記フォーカス制御手段は、距離情報算出手段により算出された前記距離情報と、前記焦点信号検出手段により検出された前記焦点信号とが共に大きく変化したときに、前記フォーカスレンズを再起動することを特徴とする請求項５に記載の撮像装置。
【請求項８】
ズームレンズの位置から焦点距離値を検出するステップと、
複数の距離測定手段により、主被写体の距離値をそれぞれ測定するステップと、
測定された前記距離値と、検出された前記焦点距離値とに基づいて、前記主被写体の距離情報を算出するステップと、
撮像光学系を介して形成される光学像に基づく映像信号から焦点信号を検出するステップと、
算出された前記距離情報と、検出された前記焦点信号とに基づいて、フォーカスレンズを制御するステップと
を含むことを特徴とする撮像方法。
【請求項９】
ズームレンズの位置から焦点距離値を検出するステップと、
検出された前記焦点距離値に基づいて、複数の距離測定手段のうちの少なくとも１つを選択するステップと、
選択された前記距離測定手段により距離値を測定するステップと、
測定された前記距離値と、検出された前記焦点距離値とに基づいて、主被写体の距離情報を算出するステップと、
撮像光学系を介して形成される光学像に基づく映像信号から焦点信号を検出するステップと、
算出された前記距離情報と、検出された前記焦点信号とに基づいて、フォーカスレンズを制御するステップと
を含むことを特徴とする撮像方法。
【請求項１０】
ズームレンズ及びフォーカスレンズを含む撮像光学系を介して形成される光学像に応じて信号を出力する信号出力手段からの出力信号に基づく焦点信号と、算出された距離情報と、の少なくともいずれかに基づき前記撮像光学系を制御することによって焦点を調節する制御手段を有し、
前記距離情報は複数の距離測定手段による測定に基づくとともに、当該複数の距離検出手段はそれぞれ焦点距離に応じて異なる有効計測距離が規定されていることを特徴とする撮像装置。
【請求項１１】
ズームレンズ及びフォーカスレンズを含む撮像光学系を介して形成される光学像に応じて信号を出力する信号出力手段からの出力信号に基づく焦点信号と、算出された距離情報と、の少なくともいずれかに基づき前記撮像光学系を制御することによって焦点を調節する制御手段を有し、
前記距離情報は複数の距離測定手段による測定に基づくとともに、当該複数の距離検出手段はそれぞれ焦点距離に応じて視野角を変えて配置されていることを特徴とする撮像装置。
【手続補正２】
【補正対象書類名】明細書
【補正対象項目名】００２３
【補正方法】変更
【補正の内容】
【００２３】
本発明の撮像装置の一態様では、前記各距離測定手段は、それぞれ焦点距離に応じて異なる有効計測距離が規定されている。
【手続補正３】
【補正対象書類名】明細書
【補正対象項目名】００２４
【補正方法】変更
【補正の内容】
【００２４】
本発明の撮像装置の一態様では、前記各距離測定手段は、それぞれ焦点距離に応じて視野角を変えて配置されてなる。
【手続補正４】
【補正対象書類名】明細書
【補正対象項目名】００２８
【補正方法】変更
【補正の内容】
【００２８】
本発明の撮像方法は、ズームレンズの位置から焦点距離値を検出するステップと、複数の距離測定手段により、主被写体の距離値をそれぞれ測定するステップと、測定された前記距離値と、検出された前記焦点距離値とに基づいて、前記主被写体の距離情報を算出するステップと、撮像光学系を介して形成される光学像に基づく映像信号から焦点信号を検出するステップと、算出された前記距離情報と、検出された前記焦点信号とに基づいて、フォーカスレンズを制御するステップとを含む。
【手続補正５】
【補正対象書類名】明細書
【補正対象項目名】００２９
【補正方法】変更
【補正の内容】
【００２９】
本発明の撮像方法は、ズームレンズの位置から焦点距離値を検出するステップと、検出された前記焦点距離値に基づいて、複数の距離測定手段のうちの少なくとも１つを選択するステップと、選択された前記距離測定手段により距離値を測定するステップと、測定された前記距離値と、検出された前記焦点距離値とに基づいて、主被写体の距離情報を算出するステップと、撮像光学系を介して形成される光学像に基づく映像信号から焦点信号を検出するステップと、算出された前記距離情報と、検出された前記焦点信号とに基づいて、フォーカスレンズを制御するステップとを含む。
【手続補正６】
【補正対象書類名】明細書
【補正対象項目名】００３０
【補正方法】変更
【補正の内容】
【００３０】
本発明の撮像装置は、ズームレンズ及びフォーカスレンズを含む撮像光学系を介して形成される光学像に応じて信号を出力する信号出力手段からの出力信号に基づく焦点信号と、算出された距離情報と、の少なくともいずれかに基づき前記撮像光学系を制御することによって焦点を調節する制御手段を有し、前記距離情報は複数の距離測定手段による測定に基づくとともに、当該複数の距離検出手段はそれぞれ焦点距離に応じて異なる有効計測距離が規定されている。
【手続補正７】
【補正対象書類名】明細書
【補正対象項目名】００３１
【補正方法】変更
【補正の内容】
【００３１】
本発明の撮像装置は、ズームレンズ及びフォーカスレンズを含む撮像光学系を介して形成される光学像に応じて信号を出力する信号出力手段からの出力信号に基づく焦点信号と、算出された距離情報と、の少なくともいずれかに基づき前記撮像光学系を制御することによって焦点を調節する制御手段を有し、前記距離情報は複数の距離測定手段による測定に基づくとともに、当該複数の距離検出手段はそれぞれ焦点距離に応じて視野角を変えて配置されている。